(57)【要約】【課題】既設の落石防護柵の機能不足を補うための、安価で、有効な補強構造を提供する。【解決手段】適宜間隔づつ離隔して立設した支柱２と、当該支柱間に渡した落石１０を受ける受撃材３とから成る既設落石防護柵Ａを補強する構造である。斜面に固定部となるアンカー４を打設し、アンカー４と既設の落石防護柵Ａの支柱２との間に複数本の索条５を渡して連結する。隣り合う索条５間に吸撃材９を配設する。アンカー４から斜面に沿って他の索条７を垂らし、上下の索条５・７間に吸撃材を配設してもよい。受撃材３に沿って吸撃材９を配設してもよい。【選択図】図１
2010174470.tif 000002
【特許請求の範囲】
【請求項１】
適宜間隔づつ離隔して立設した支柱と、当該支柱間に渡した落石を受ける受撃材とから成る既設落石防護柵を補強する構造であって、
斜面に適宜間隔づつ離隔して複数個の固定部を設置し、当該各固定部と既設の落石防護柵の支柱との間に複数本の索条を渡して連結し、
前記各固定部から斜面に沿って他の索条を垂らし、
隣り合う上方の索条の中間部間に吸撃材を配設し、当該吸撃材の下端部は前記他の索条に固定してなる、
既設落石防護柵の補強構造。
【請求項２】
適宜間隔づつ離隔して立設した支柱と、当該支柱間に渡した落石を受ける受撃材とから成る既設落石防護柵を補強する構造であって、
斜面に適宜間隔づつ離隔して複数個の固定部を設置し、当該各固定部と既設の落石防護柵の支柱との間に複数本の索条を渡して連結し、
前記隣り合う索条間に吸撃材を配設してなる、
既設落石防護柵の補強構造。
【請求項３】
適宜間隔づつ離隔して立設した支柱と、当該支柱間に渡した落石を受ける受撃材とから成る既設落石防護柵を補強する構造であって、
斜面に適宜間隔づつ離隔して複数個の固定部を設置し、当該各固定部と既設の落石防護柵の支柱との間に索条を渡して連結し、
既設落石防護柵の受撃材に沿って吸撃材を配設してなる、
既設落石防護柵の補強構造。
【発明の詳細な説明】
【技術分野】
【０００１】
本発明は、山岳地などにおいて、傾斜面からの落石による被害から防護するための落石防護柵に関するものであり、特に既設の落石防護柵の性能強化のための構造に関するものである。
【背景技術】
【０００２】
落石防護柵としての一般的な構造として、特開２００２−４７６１７号公報に記載されたような構成が採用されている。
同公報に記載された落石防護柵は、適宜間隔づつ離隔して立設した支柱の間に、金網やワイヤロープなどの衝撃吸収材が配設されている。
このような落石防護柵を、落石が予想される斜面下に配置しておき、落石が支柱や網などの受撃材に衝突したとき、それらが変形することによって衝撃力を吸収し、柵を通過することを防ぐものである。
【０００３】
前記したような落石防護柵は、斜面上に存在が確認された石に基づいて落石の衝撃を推定し、それに基づいて設計される。
しかしながら、構築後に新たにそれ以上の落石が予想出来た場合には、既に構築した防護柵は機能不足となる。
また、構築当時は推定通りの衝撃吸収力を確保できていたとしても、落石の累積や経年的な劣化に伴い機能が低下することがある。
【０００４】
このような機能不足に対する対策として、既設防護柵の使用を止め、新たに機能を満たす落石防護柵を新設することが主体となっており、危険性の高い既設防護柵から順に対応してきているのが現状である。
しかしながら、調査の度に大きな石が発見されたり、構築後経過年数が長くなっているものも増加しており、機能が不足する既設防護柵も膨大となっているため、これら全てを新設防護柵に構築し直すことは、膨大な費用が必要となるため困難で、現実的ではない。
【０００５】
つまり、既設の防護柵を新設の防護柵に造り換えるのではなく、既設の防護柵を使用したまま、その機能不足を補う有効な手段が求められていた。
【先行技術文献】
【特許文献】
【０００６】
【特許文献１】特開２００２−４７６１７号公報
【発明の概要】
【発明が解決しようとする課題】
【０００７】
解決しようとする課題は、既設の落石防護柵の機能不足を補うための、有効な性能強化法を提供することである。
【課題を解決するための手段】
【０００８】
本発明にかかる既設落石防護柵の補強構造は、
適宜間隔づつ離隔して立設した支柱と、当該支柱間に渡した落石を受ける受撃材とから成る既設落石防護柵を補強する構造であって、
斜面に適宜間隔づつ離隔して複数個の固定部を設置し、当該各固定部と既設の落石防護柵の支柱との間に複数本の索条を渡して連結し、
前記各固定部から斜面に沿って他の索条を垂らし、
隣り合う上方の索条の中間部間に吸撃材を配設し、当該吸撃材の下端部は前記他の索条に固定するものである。
本発明にかかる他の既設落石防護柵の補強構造は、
適宜間隔づつ離隔して立設した支柱と、当該支柱間に渡した落石を受ける受撃材とから成る既設落石防護柵を補強する構造であって、
斜面に適宜間隔づつ離隔して複数個の固定部を設置し、当該各固定部と既設の落石防護柵の支柱との間に複数本の索条を渡して連結し、
前記隣り合う索条間に吸撃材を配設するものである。
本発明にかかる他の既設落石防護柵の補強構造は、
適宜間隔づつ離隔して立設した支柱と、当該支柱間に渡した落石を受ける受撃材とから成る既設落石防護柵を補強する構造であって、
斜面に適宜間隔づつ離隔して複数個の固定部を設置し、当該各固定部と既設の落石防護柵の支柱との間に索条を渡して連結し、
既設落石防護柵の受撃材に沿って吸撃材を配設するものである。
【発明の効果】
【０００９】
本発明は以上のような構成より成り、以下の効果を得ることができる。
＜ａ＞既設落石防護柵に後付けする形で、固定部と索条と吸撃材とによって補強するため、新設するよりも遥かに安価に、既存の防護柵の強度を高めることができる。
＜ｂ＞斜面に設置した固定部と、落石防護柵の支柱との間に索条を渡すため、落石防護柵に作用する落石の荷重を、固定部によっても受けるため、防護柵が破損し難くなる。
＜ｃ＞既設落石防護柵とは別個に吸撃材を設置して、吸撃材によって落石を受け止めるため、落石の衝撃を吸撃材によって受け、その衝撃の一部を吸収し、既設防護柵には大きな衝撃が伝わらず、設計以上の衝撃が作用しても、損壊することがない。
＜ｄ＞撓み性能を有する索条と、衝撃を吸収する吸撃材との組み合わせから成り、比較的剛構造の落石防護柵にぶつかる前に、索条と吸撃材との比較的柔構造によって衝撃を吸収してしまい、既設の落石防護柵には大きな衝撃が作用しなくなる。
＜ｅ＞予想されていた衝撃荷重よりも大きな荷重が作用すると仮定できたとき、その衝撃に合わせた補強構造を採用すればよく、例えば本発明にかかる複数種の補強構造を併合して採用して補強することも可能である。
【図面の簡単な説明】
【００１０】
【図１】実施例１の斜視図
【図２】実施例１の側面図
【図３】実施例２の斜視図
【図４】実施例２の側面図
【図５】実施例３の斜視図
【図６】実施例３の側面図
【実施例１】
【００１１】
＜１＞  既設落石防護柵
既設の落石防護柵Ａは、斜面の下にコンクリートによって構築した擁壁１と、この擁壁１の上に適宜間隔を離隔して立設した複数本の支柱２と、隣り合う支柱２間に渡した受撃材３とから成る。
支柱としては、Ｈ形鋼や鋼管状の部材が使用されている。
受撃材３としては、金網や、金網とワイヤロープとの組み合わせ、或いは摩擦による衝撃吸収性能を持たせたワイヤロープなど様々な形態が採用されている。
落石防護柵Ａの形態は様々であるが、基本的に、擁壁１と支柱２との剛性の高い構造と、比較的柔軟性を備える受撃材３との組み合わせから成っているのが主流であって、本発明もこのような既設の構造を補強する構成とする。
【００１２】
＜２＞  固定部
固定部として斜面にアンカー４を打設する。
このアンカー４の地上からの突出部分に、後に述べる索条５を固定するものである。
アンカー４としては様々な形態のものが採用でき、鋼棒を斜面に形成した削孔に埋設して、注入してグラウト材によって固定するようなロックボルトタイプ、削孔に埋設したシースの中に通し、ＰＣ鋼より線をグラウト材によって定着するグラウンドアンカータイプなど様々なタイプが使用可能である。
以上のようなアンカー４の地上への突出部分には、後に述べる索条５を引掛けたり、結びつけたりするリングを有するアタッチメント６を取り付ける。
アンカー４は、複数本を適宜間隔づつ離隔して斜面に打設する。
その他固定部としては、落石防護柵Ａに用いるような支柱を斜面に起立固定して、その支柱を固定部とすることもできる。
固定部とは、索条５を斜面に固定する手段ならば、様々なものが採用できる。
【００１３】
＜３＞  索条
前記したアンカー４のアタッチメント６に、索条５を通す。
索条５とは、ロープ、ワイヤ、鎖などの線状に長い部材であって、ある程度の撓み性能を有している。
索条５としては、鋼線や鋼より線、合成樹脂製のロープ、鎖などの様々な部材が使用可能である。
この索条５を、各アンカー４と、前記した既設擁壁Ａの支柱２との間にかけ渡す。
索条５の一方の端部を前記したアンカー４のアタッチメント６に結びつけ、他方を支柱２の上端に取付けたアタッチメント８に結びつける。
【００１４】
＜４＞  吸撃材
以上のようにアンカー４と支柱２間に渡した隣り合う索条５間に、吸撃材９を配設する。
吸撃材９としては、撓み性を有する様々な部材などが採用でき、金網、エキスパンドメタル、合成樹脂繊維による紐材を編んだネットなどが採用できる。
その他、吸撃材９としては、落石が衝突した衝撃で割れる木製や合成樹脂製の板材なども採用できる。
ネットの場合、その撓み性能、つまりは衝撃吸収力は大きく、特にネット表面に添わせてフープ状にしたロープを複数本配し、落石が衝突したとき、ネットの一部が撓るのではなく、衝撃が作用した箇所にネットを構成する紐材や、当該ロープが引き寄せられて、大きくしなるよう構成したものなどは、より吸撃材９として好適である。
【００１５】
＜５＞吸撃作用
落石１０があったとき、落石１０は、索条５間に配設した吸撃材９の上に落下する。
吸撃材９は、ある程度の撓み性能を有するため、落石１０の衝撃を、その撓み性能によって吸収する。
吸撃材９によって受けた衝撃は、索条５を介してアンカー４の定着力と、支柱２の剛性によって耐える。
しかしながら、吸撃材９によってある程度の衝撃力を吸収しているため、支柱２には弱められた引張り衝撃が作用し、支柱２を変形するほどの衝撃となるのは、極めて大きな落石１０でないと生じない。
【実施例２】
【００１６】
＜６＞既設落石防護柵と実施例１との共通部分
既設落石防護柵Ａと、その他実施例１との共通部分については、以下、再度言及しない。
【００１７】
＜７＞アンカー
この実施例でも、固定部としてアンカーを採用した。
既設の落石防護柵Ａに沿って、適宜間隔づつ離隔して、斜面に複数本のアンカー４を打設する。
アンカー４としては、前記した様々なアンカー４が使用できる。
実施例２にて打設するアンカー４は、前記した実施例１のアンカー４よりも若干高い位置に打設する。
【００１８】
＜８＞索条
アンカー４の地上からの突出部分に取付けた各アタッチメント６に索条５を結びつけ、既設落石防護柵Ａの支柱２の上端部に、索条５の他端部を固定する。
アタッチメント６に別の索条７を取付け、斜面に沿って垂らす。
実施例では、斜面の前記アンカー４と落石防護柵Ａとの間にも固定部となるアンカー１１を打設し、索条７をアンカー１１の地上からの突出部分に取付けたアタッチメント６に通す。
この実施例では、前記したアンカー４と落石防護柵Ａとの間にも固定部であるアンカー１１を設置したが、このアンカー１１は必ずしも必須のものではない。
索条５・７も、前記した様々な材質の線材が使用できる。
【００１９】
＜９＞吸撃材
前記した索条５の中間部分に、吸撃材９の上端部を固定金具などによって連結して、索条５に吸撃材９を吊るす。
吸撃材９の下端部は、斜面に添って垂らし、アタッチメント６に通した索条７の端部に結びつける。
吸撃材９も、前記した様々な材質や構成のものが使用できる。
【００２０】
＜１０＞吸撃作用
斜面を転がってきた落石１０は、吸撃材９によって捕獲される。
前記したように吸撃材９は、ある程度の撓み性能を有しており、落石１０の衝撃を吸収する。
また、索条５・７も撓み性能を有しており、衝撃を吸収する。
撓み性能によって吸収された残りの衝撃は、アンカー４に伝わり、アンカー４の定着力によって抵抗する。
特に、図４に示すように、支柱２からの索条５の長さＬが長ければ、それだけ撓み代が大きくなり、支柱２に伝わる衝撃力が小さくなり、支柱２への影響が少なくなる。
【実施例３】
【００２１】
＜１１＞既設落石防護壁と実施例１又は２との共通部分
既設落石防護壁Ａと、その他実施例１又は２との共通部分については、以下、再度言及しない。
【００２２】
＜１２＞アンカー
既設の落石防護柵Ａに沿って、適宜間隔づつ離隔して、斜面に複数本のアンカー４を打設して固定部とする。
アンカー４としては、前記した様々な態様のアンカー４が使用できる。
【００２３】
＜１３＞索条
アンカー４の地上部分に取付けたアタッチメント６に索条５の一方側の端部を結びつけ、他方の端部を、既設落石防護柵Ａの支柱２の上端に取付けたアタッチメント８に結びつけて固定する。
索条５としては、前記した様々な材質の線材が使用できる。
【００２４】
＜１４＞吸撃材
既設落石防護柵Ａの支柱２及び受撃材３に沿って、吸撃材９を垂らす。
吸撃材９の下端部は、擁壁１に固定したアタッチメントに固定などして連結することもできる。
吸撃材９としては、前記した材質や態様のものが使用できる。
【００２５】
＜１５＞吸撃性能
落石１０が吸撃材９に衝突した場合は、吸撃材９の撓み性能によってある程度衝撃を吸収する。
ただし、吸撃材９が受撃材３と間近に位置しているため、落石１０の衝撃のうち幾らかは、支柱２か受撃材３に作用する。
しかしながら、支柱２の上端部がアンカー４と索条５によって繋がっているため、索条５の撓み性能によって衝撃の一部を吸収し、更に残りの落石１０の衝撃は、アンカー４の定着力によって抵抗し、支柱２が道路側に屈曲するのを抑えることができる。
【符号の説明】
【００２６】
Ａ：既設落石防護柵
１：擁壁
２：支柱
３：受撃材
４：アンカー
５：索条
６：アタッチメント
７：索条
８：アタッチメント
９：吸撃材
１０：落石
１１：アンカー
【図１】
2010174470.tif 000003
【図２】
2010174470.tif 000004
【図３】
2010174470.tif 000005
【図４】
2010174470.tif 000006
【図５】
2010174470.tif 000007
【図６】
2010174470.tif 000008